(57)【要約】      （修正有）【課題】半導体のオープンを光センサ器で報知し、デジタル化を図る３ダイオード１端子ＮＯＴ論理素子組み合わせ器を提供する。【解決手段】導通線１、３、５（アノード）、非導通線２、４、６（カソード）、３個の１端子ＮＯＴ論理素子７、９、１０、光センサー器８、アース線３′、警報器ＥＳ−ＰＴ  １１、および流線型回転灯により、ひし形３ダイオード１端子ＮＯＴ論理素子組み合わせ器を構成する。【選択図】図２
0003230519.tif 000002
【実用新案登録請求の範囲】
【請求項１】
３ダイオード組み合わせ器に１端子ＮＯＴ論理素子を設けた３ダイオードＮＯＴ論理素子組み合わせ器。
【請求項２】
３ダイオード組み合わせ器に回路の異常を警報器により迅速に知らせるものである。
【請求項３】
ダイオードのオープンを知らせる光センサー器が作動し消灯をし、事前に知らせるものである。ＮＯＴ論理素子０の時に１を示す事により警報器ＥＳ−ＰＴが作動、パトライト流線型回転灯が瞬時に作動して知らせるのである。
【請求項４】
この考案は、半導体樹脂で固め、光センサーにアルミ制のヒューム管を施し、上部に高水圧発生器ノズルにより上部切断して、半導体樹脂とヒューム管が水平に成る様に施し上部にレンズをかぶせた状態にするのである。
【請求項５】
ダイオードの電子回路図１、アノード（プラス＋）２、カソード（マイナス−）により導通線、非導通線をそれぞれ示すものである。
計３個のＮＯＴ論理素子を使用するものである。
【請求項６】
３ダイオードに光センサー器で半導体のオープンを知らせ１端子論理素子が０のとき、１に  又、１のときに０を示して、電気エネルギーが無い時に補助バツテリーにより、警報器、ＥＳ−ＰＴ／ＥＳ−ＰＭ／ＥＳ−ＢＸインバーター対応型電子回路により瞬時に作動するのである。
【請求項７】
又、ＮＯＴ論理素子器がプッシュされ、ＬＥＤランプが作動します。この時、Ｒは１００Ωを用いる事により、明るく点めつをします。
【請求項８】
0003230519.tif 000010
ルでのモニターが一目で分かります。
デイジタル方式にＬＥＤに番号を付けて何階の何処にある装置が、ダイオード、ＬＳＩ、Ｒ、Ｃ回路がオープンを示しているかも一目りようぜんに知る事ができます。
【請求項９】
１、アノード（導通線）  ２、カソード（非導通線）と言うのは理論上の事であって、ダイオードを２つに割った状態の極かん単な発想から生まれたのであって直接的に存在するものでは、有りません。
【請求項１０】
ＮＯＴ回路にあるトランジスタと抵抗器からなる回路に光センサー器、による小さい基板からも成り立ち、半導体樹脂で固めない状態の３ダイオード組み合わせ器である。
【請求項１１】
プツシュ式ＮＯＴ論理回路にノイズ除去するために抵抗器１００Ωを接続します。これにＬＥＤの半導体素材を１〜２個付け加えます。
【請求項１２】
半導体ＬＥＤをえんちようした所に集合し、あつめますと電子部品の不具合であるオープンした状態を示した事により合理化がはかれます。
【請求項１３】
オフイスビルやちよう高そうビル管理システムにＣＯＵＮＴ関数を使用したコンピューターせいぎょを行いより効率的に、又、合理的に行う事ができる。
【請求項１４】
ＩＣ基盤の不具合いを回路試験器的に３ダイオードＮＯＴ論理素子組合わせ器をふるに活用しますと機動性が増しとても便利になります。
【請求項１５】
ＮＯＴ論理素子回路は０、と１の世界であり、ＮＯＴ論理素子をプッシュする事で基板の回路図により携帯で大変便利である。
【考案の詳細な説明】
【技術分野】
【０００１】本考案は、３ダイオードに１端子ＮＯＴ論理素子を設けた３ダイオード組み合わせ器である。
【背景技術】
【０００２】従来、ダイオードと１端子ＮＯＴ論理素子回路とは別々になっていた。
【先行技術文献】
【特許文献】
【０００３】Ｈ０３Ｋ１９／０９８−１９／２３
【考案の概要】
【考案が解決しようとする課題】
【０００４】これは、次のような欠点があった。
従来、半導体のオープンなどは、電子回路などを多く使用していると、どうしても防ぐことができず、知らないうちに故障することが多かった。又半導体を多様に使用する光センサー回路においてはダイオードの微弱な電流不足によるオープンが多かったのである。
前述の欠点を解決しようとするものである。
【課題が解決するための手段】
【０００５】ひし形の形をした３ダイオードに１、導通線  ２、非導通線  ３、導通線  ４、非導通線  ５、導通線  ６、非導通線  ７、１端子ＮＯＴ論理素子  ８、光センサー器  ９、１端子ＮＯＴ論理素子  １０、１端子ＮＯＴ論理素子  ３′、アース線  １１、警報器ＥＳ−ＰＴ  １２、パトライト流線型回転灯  且つ、ダイオードのオープンにより、微弱な電流の下がりに対し、これを検知する保助回路をあらたに設け、警報器ＥＳ−ＰＴに作動をうながして、ダイオードのオープを知らせ、人の手によりたいしよをするのである。
【考案の効果】
【０００６】３ダイオードに光センサー器で半導体のオープンを知らせ、１端子ＮＯＴ論理素子により初歩的なデジタル化がはかられ、便利である。
ダイオードがオープンをした時、あるいは故障した時電気エネルギーが無く成るので、補助バツテリーをしようし、ＲＣ回路に論理素子回路が重要なポイントとなります。
【図面の簡単な説明】
【０００７】
【図１】本考案  ３ダイオード組み合わせ器の側面図である。
【図２】本考案  ３ダイオード組み合わせ器平面図である。
【考案を実施するための形態】
【０００８】ひし形３ダイオード組み合わせ器に７、１端子ＮＯＴ論理素子を設け、９、の１端子ＮＯＴ論理素子回路があり、それに光センサー器を設けた。ＮＯＴ論理素子回路は１のときに０になり、０のときに１になるというようにわずかなデジタル化がはかれます。光センサー器は周辺の半導体のオープンに反応します。
ＮＯＴ回路は０が入力されれば１に  １が入力されれば０に出入され
0003230519.tif 000003
一般的に、信号を０から１に、１から０に反転する機能を、この円が表しています。論理回路とはデジタル信号を扱う機器で、論理演算などを行っている電子回路です。論理素子は、以前はトランジスターやダイオードなどの半導体あるいは抵抗やコンデンサといった電子部品を組み合わせて構成していましたが現在はもっぱらＩＣ集積化された論理素子を利用します。
それにより、光センサー器、警報器の迅速な作動が必要になるのである。
【実施例】
【０００９】４つのケイ素でひし形の化合物「テトラシラシクロブタジエン」、これにちなみ本考案３ダイオード組み合わせ器にしたのである。このバイ電子が２個ずつケイ素原子上に局在してプラスとマイナスに電荷が分かれるため、ひし形を形成して安定化することがあります。【００１０】警報器としては、ＥＳ−ＰＴ／ＥＳ−ＰＭ／ＥＳ−ＢＸインバータ対応型電子回路により瞬時に作動これに回転灯にＬＥＤを使用して、これにより長寿命電球切れが軽減でき、オープン時に作動します。【００１１】半導体故障解析とは集積回路において、製造過程での不良品や故障の何処に異常があるのかを解折する事又、その技術である。ＬＳＩ（１０００万素子以上）、Ｖ．ＬＳＩ（１０万素子以上）ＵＬＳＩ１０００万素子以上）などがあり上記にある事について本光案３ダイオードＮＯＴ論理素子組み合わせ器が重要である。【００１２】ダイオードにはアノードとカソードとい２コの端子があり１、非導通線（カソード）  ２、導通線（アノード）とするのである。
0003230519.tif 000004
ダイオードは整流作用をもつ電子素子である。最初のダイオードは２極真空管で、後に半導体素子である半導体ダイオードが開発された。
0003230519.tif 000005
ダイオードの電子回路図上表記１、アノード  ２、カソード
１、アノード（導通線）  ２、カソード（非導通線）となるのである。
実際上、理論として  ２、カソード（非導通線）と言うのは仮想的な線をえ書くだけである。
ＬＥＤはダイオードの一種であり、「一定方向にしか電流を流さない整流作用を持つ電子素子」である。アノードの方向からカソードへと電流が流れ、その区別は電流が流れる向きだけによって決まるのである。【００１３】ＩＣによる光センサ器にアルミ製のヒューム管を「ウオータージエットによる切断加工」とは水を最高３９２ＭＰＡ（約４０００気圧に加圧し、小径ノズル（直径０、１ｍｍ）から噴射、高速・高密度な超高圧水のエネルギーを利用して、対象物を切断加工する工法です。このヒユウーム管上部に直径１〜１、５ｍｍの大きさのレンズをかぶせてＩＣの表面とヒユーム管上部のレンズとが一直線上水平になるのである。【００１４】バイアス抵抗に１ＫΩ、１０ＫΩを用いるのでダイオードに対する過流を防ぐのである。
保護抵抗器は、過電流、有害なノイズを防ぐのである。
又、ＩＣの集積回路半導体には、デカップリングコンデンサーを使用すると、オーデイオ機器、パソコン、家電製品などのノイズを軽減できるのである。【００１５】
0003230519.tif 000006
ＮＯＴ回路とは、出力に、入力と反対の結果を出す回路のことである。
上図のように、トランジスタという素子を使ってＮＯＴ計算が可能である。
0003230519.tif 000007
【００１６】ＮＯＴ論理回路は０と１の世界であり、入力が０ときに出力は１になり、入力が１のときに、出力が０に成る。
ＮＯＴ論理回路をプッシュするとＬＥＤランプが点めつをする。これに、抵抗器１００Ωを接続すると大変明るく光り、又半導体の寿命を長くできる。【００１７】３、にアース線を引き自然アースをさせるのである。
静電気放電によって一時的に高い電圧の電気が流れると絶縁性の高い酸化シリコンなどの薄い膜（絶縁
0003230519.tif 000008
では約８０〜１００Ｖの電圧がかかるだけで半導体としての機能を失ってしまう。この為にはアース線が必要である。【００１８】「すべての入力端子に．．．」がＡＮＤ、ＮＡＮＤ回路、「少なくとも１つの入力端子に．．．」がＯＲ、ＮＯＲには回路記号の後には小さい円があります。この円は信号を反転（０は１に、１は０に）することを表しています。入力信号の０に着目すると、ＡＮＤ回路はＯＲ回路はＮＯＴ回路入力Ａ＝１  Ｂ＝０、Ａ＝０  Ｂ＝１「ＮＯＴ回路の記号は三角形の後に円をつける」この様にＮＯＴ回路を備える事は非常に重要なのである。【００１９】又、製造工程においてプリント基板には、半田カスが付着している事で電気ショートが時々あるので細心の注意が必要である。電気回路には赤、黄、緑色の光センサ器を使用する事で重要な箇所の区別をつけるのである。それぞれに緑、黄、赤色の光センサー器を使い分けるのである。【００２０】半導体樹脂で固めた３ダイオード組み合わせ器は広い基板の上にのせて固定するものである。上述のようにノイズ対策を施して、行うものである。ダイオードに保護抵抗を接続するものである。【００２１】シーケンス制御は、全自動洗濯機・エアコンという家庭用電気器具、信号機・自動販売機、産業ロボットや自動化設備・エレベータや自動ドア・発電所や変電所などに使用され３ダイオード組み合わせ器が必要となりうるのである。【００２２】ＮＯＴ回路の論理記号
0003230519.tif 000009
答えの十の位が１になる場合とは（つまり、くりあがりが起きる場合とは）、入力ＡとＢが両方とも１の場合である。
【図１】
0003230519.tif 000011
【図２】
0003230519.tif 000012
【手続補正書】
【提出日】令和2年6月13日(2020.6.13)
【手続補正１】
【補正対象書類名】実用新案登録請求の範囲
【補正対象項目名】全文
【補正方法】変更
【補正の内容】
【実用新案登録請求の範囲】
【請求項１】
３ダイオード組み合わせ器に１端子ＮＯＴ論理素子設けた為に回路の異常を知らる事を徴とする３ダイオード組み合わせ器。
【請求項２】
１端子ＮＯＴ論理素子をプツシユする事により回路の異常を迅速に知らせる請求項１に記載の３ダイオード組み合わせ器。
【請求項３】
ＮＯＴ論理素子器と警報器ＥＳ−ＰＴを組み合わせＬＳＩ、半導体がオープンしたときに瞬時に作動する請求項２に記載の３ダイオード組み合わせ器。
【請求項４】
高水圧発生器とノズルを組み合わせた状態でヒユーム管を切断し、これにレンズをかぶせ光センサ器を保護した事を特徴とする請求項３に記載の３ダイオード組み合わせ器。
【請求項５】
ダイオードの電子回路図１、アノード（プラス  ＋）２カソード（マイナス  −）により３個のＮＯＴ論理素子の組み合わせによる事を特徴とする請求項４に記載の３ダイオード組み合わせ器。
【請求項６】
ひし形の形状をもち、３ダイオードと光センサー器そして保護抵抗器とからなり、０のとき１に又、１のときに０示し電子回路の異常を知らせ、一目でわかる事を特徴とする請求項５に記載の３ダイオード組み合わせ器。
【請求項７】
回路図基板とテスター状のＮＯＴ論理素子器とが一体となり、組み合わせたことを特徴とする請求項６に記載の３ダイオード組み合わせ器。
【請求項８】
エクセルソフトＣＯＵＮＴ  Ａ関数とＮＯＴ論理素子回路試験器を組み合わせ広範囲に電子回路のオープンが合理的に知らせることを特徴とする請求項７に記載の３ダイオード組み合わせ器。
【請求項９】
１、アノード  ２、カソードによりダイオードのＯＮ、ＯＦＦ機能を持つことを特徴とする請求項８に記載の３ダイオード組み合わせ器。
【請求項１０】
ＮＯＴ論理素子器と保護抵抗器、光センサー器による組み合わせにより成る事を特徴とする請求項９に記載の３ダイオード組み合わせ器。
【請求項１１】
プツシユ式ＮＯＴ論理回路と抵抗器１００Ωを組み合わせ、これにＬＥＤを１〜２個を付け加えた事によりスイツチＯＮ、ＯＦＦ機能を特徴とする請求項１０に記載の３ダイオード組み合わせ器。
【請求項１２】
半導体ＬＥＤと長いリード線、ポイント集合回路によりダイオード、半導体回路のオープンを知らせる機能であることを特徴とする請求項１１に記載の３ダイオード組み合わせ器。
【請求項１３】
プツシユ式ＮＯＴ論理回路とビル管理システム、ＣＯＵＮＴ  Ａ関数エクセルソフトを連帯的に組み合わせ合理的に回路の異常を知らせる事を特徴とする請求項１２に記載の３ダイオード組み合わせ器
【請求項１４】
３ダイオードＮＯＴ論理素子を使用する多大な機能を持続できることを特徴とする請求項１３に記載の３ダイオード組み合わせ器。
【請求項１５】
テスター的な回路の異常を知らせる半導体のオープンを知らせる組み合わせによることを特徴とする請求１４に記載の３ダイオード組み合わせ器。
【手続補正書】
【提出日】令和2年8月21日(2020.8.21)
【手続補正１】
【補正対象書類名】実用新案登録請求の範囲
【補正対象項目名】請求項１
【補正方法】変更
【補正の内容】
【請求項１】
請求項に係る物品の形状はひし形で、１端子ＮＯＴ論理素子３個から成り、これにＬＥＤ発光ダイオードに、１００Ωの抵抗器の組み合わせになります。
テスターのようりようで第１の始点にプラス棒を、第２の終点マイナスのテスター棒を接続し、これに１端子ＮＯＴ論理素子を上からプッシュする。そうするとＬＥＤ発光ダイオードが明るく点滅をしなければＬＳＩ、半導体トランジスターＲＣ回路器がオープンしている。この装置は基板による実験器から成り立つと言っても過言ではありません。
0003230519.tif 000013
事が実証されることが少ない。最初から最後まで、手動操作で行われる。半導体樹脂類でおおい、これでカバーする事は行わない。万がいち半導体ダイオード、ＬＳＩがオープした時人の力により半断したときには、レバーをオンにして赤ランプを点滅させて、その場のエクセルソフト関数Ａにデーターをセツトし、これにコンピューター  ランケーブルに他のパソコンとデーター通信を行い、情報管理たいせいを取るのである。キルヒホツフの法則の様に任意の閉路に於ける様に回路自体が、完全につながった事にすることの様な事が無ければ、１端子ＮＯＴ論理器によるオープ測定器が成り立たない。回路図の線路が接続した状態で測定器の＋棒、−棒を大きい回路から小さい回路図へとしだいにせばめていき電子回路図のオープンを知ることが出来ます。ダイオードの電子回路図１、アノード（プラス＋）２、カソード（マイナス−）によりダイオードの原理が成り立つ構造による組み合わせにより、１端子ＮＯＴ論理器を形成する。合理的にオープを知り、手動により、赤ランプ作動させ、コンピューター  ランケーブル方式を行い完全に情報管理体勢に力を入れ、番号掲示板により、完全に元通りに修理を行い、多様化する消費者のニーズに適格に対応する事を長所とする３ダイオード１端子ＮＯＴ論理素子組み合わせ器であります。
図２の１１に於いては、手動のスイッチ回路を新たに設けてＯＮ、ＯＦＦを行い合理的に行います。保護抵抗器に約１Ｋを押入します。これにより、ノイズの除去、各部に於ける安全性が増し、とても有効に扱えます。又、新たにスイツチ回路、保護抵抗器１ＫΩを加え持つ事で安全且つ適合性にとんだことを特徴とする３ダイオード１端子ＮＯＴ論理素子組み合わせ器。
【手続補正書】
【提出日】令和2年10月30日(2020.10.30)
【手続補正１】
【補正対象書類名】実用新案登録請求の範囲
【補正対象項目名】請求項１
【補正方法】変更
【補正の内容】
【請求項１】
１端子ＮＯＴ論理素子３個から成り、これにＬＥＤ発光ダイオードに、１００Ωの抵抗器を有するひし形ダイオード組み合わせ器。